(57)【要約】      （修正有）【課題】ＡＩ自動ドア双方向ネットワークシステムを提供する。【解決手段】データベースと、サーバと、ＡＩ自動ドア１０とを備える。サーバはデータベースと通信し、プログラムを実行するプロセッサと、プロセッサと接続されプログラムを保存するストレージを備える。ＡＩ自動ドア１０は入口側に位置する第一区域Ｔ１、第一区域Ｔ１の外側にある第二区域Ｔ２及び出口側を有する。ＡＩ自動ドア１０は、制御器１１と、双方向センサー１２と、双方向ディスプレイ１３と、双方向顔認識ユニット１４を備える。プロセッサは双方向顔認識ユニット１４からの顔の特徴とデータベースとを比較し、第一区域Ｔ１の人が会員資格を有するか確認し、且つ前記第二区域Ｔ２の人流情報を分析する。本考案は入店する人に対し会員識別管理を行い、同時に通行人に対し人流分析を行うことで、従来の入店客のみを対象とし通行人を疎かにした技術を改善し、分析をより完全なものにできる。【選択図】図１
0003218348.tif 000002
【実用新案登録請求の範囲】
【請求項１】
入口側及び出口側を有するＡＩ自動ドアであって、
前記ドアを制御することで前記ドアを開放状態又は閉鎖状態に切り換える制御器と、
前記ドア上に設置され、前記制御器と接続される双方向センサーと、
前記ドア上に嵌合され、入口側及び／又は出口側に音声、音楽、画像、映像、文字、光と影及びそれらの組み合わせからなる群から選択されるものが出力される双方向ディスプレイと、
前記双方向ディスプレイに嵌合され、前記入口側及び／又は前記出口側の人の顔の特徴を取得する双方向顔認識ユニットを備え、
前期双方向センサーが前記ドアの周辺に人及び／又は物が存在することを検知した時、前記制御器が前記ドアを制御することで開放し、一定時間後に閉鎖することを特徴とするＡＩ自動ドア。
【請求項２】
顔の特徴の分析比較データ、個別の顔の特徴情報を有する複数の会員データ及び広告データを保存するデータベースと、
前記データベースと通信するサーバと、
請求項１に記載のＡＩ自動ドアを備え、
前記サーバは、プログラムを実行するプロセッサと、前記プロセッサと接続されプログラムを保存するストレージを備え、
前記ドアは入口側に位置する第一区域及び第一区域の外側にある第二区域を有し、
前記双方向顔認識ユニットは前記双方向ディスプレイに嵌合され、前記サーバと接続され、
前記双方向顔認識ユニットは入口側の前記第一区域、前記第二区域及び出口側の人の顔の特徴を取得し、前記顔の特徴を前記プロセッサに出力し、
前記プログラムは前記プロセッサで実行されると、前記双方向顔認識ユニットからの顔の特徴と前記データベースとを比較し、前記第一区域の人が会員特徴を有するか確認し、且つ前記第二区域の人流情報を分析することを特徴とするＡＩ自動ドア双方向ネットワークシステム。
【請求項３】
前記双方向ディスプレイは前記ドア上に嵌合され、前記サーバと接続され、前記プロセッサが前記第一区域の人が会員特徴を満たすと確認した時、前記プロセッサは前記データベースから前記会員の好みに応じた適性広告を選択し前記双方向ディスプレイに放映し、又は前記プロセッサが特定の時間に環境情報を比較し、前記データベースから前記環境情報に応じた適性広告を選択し前記双方向ディスプレイに放映することを特徴とする請求項２に記載のＡＩ自動ドア双方向ネットワークシステム。
【請求項４】
前記ＡＩ自動ドア双方向ネットワークシステムは、人の顔の特徴を取得する決済センサーユニットと、商品を識別し会計手続を実行する決済装置を備える決済モジュールを有し、前記決済モジュールは前記サーバと通信することを特徴とする請求項３に記載のＡＩ自動ドア双方向ネットワークシステム。
【請求項５】
前記ＡＩ自動ドア双方向ネットワークシステムは、前記ドアの出口側の傍らに設置され、前記サーバと接続されるセンサーを備え、検知物が前記センサーの検知範囲を通過すると、前記プロセッサが前記会計手続の結果から前記検知物の適法性を判断し、前記検知物が適法性を有さないと判断したときは、前記双方向ディスプレイに前記商品のメッセージ及び／又は注意メッセージを出力し、前記注意メッセージは音声、音楽、画像、映像、文字、光と影及びそれらの組み合わせからなる群から選択されるものであることを特徴とする請求項４に記載のＡＩ自動ドア双方向ネットワークシステム。
【請求項６】
前記センサーは前記ドアの出口側の上方及び／又は前記ドアの出口側の両側に設置されることを特徴とする請求項５に記載のＡＩ自動ドア双方向ネットワークシステム。
【請求項７】
前記決済モジュールは使用者の顔の特徴、バーコード、個人情報及びそれらの組み合わせからなる群から選択される情報を取得し、前記サーバと通信することにより前記使用者の会員身分を確認した後、前記決済モジュールは前記会計手続で会員セール情報を提供し、且つ対応する会計手続情報を通信により前記データベースに返送することを特徴とする請求項４に記載のＡＩ自動ドア双方向ネットワークシステム。
【請求項８】
前記ＡＩ自動ドア双方向ネットワークシステムは、前記決済モジュールと接続される電子商取引プラットフォームを備え、前記決済モジュールが通信ネットワークシステムを介し前記電子商取引プラットフォームの商品情報を識別し、会計手続を行うことを特徴とする請求項４に記載のＡＩ自動ドア双方向ネットワークシステム。
【請求項９】
前記ＡＩ自動ドア双方向ネットワークシステムは、使用者の属性情報を収集するモバイルアプリケーションを有し、前記モバイルアプリケーションは使用者のモバイル端末にインストールされ、前記サーバと通信し、前記使用者が前記ＡＩ自動ドア双方向ネットワークシステムに近づくと、前記モバイルアプリケーションは前記サーバに前記使用者の属性情報を提供し、前記サーバは前記使用者に対応する会計手続情報を前記モバイルアプリケーションに送信することを特徴とする請求項４に記載のＡＩ自動ドア双方向ネットワークシステム。
【請求項１０】
前記ＡＩ自動ドア双方向ネットワークシステムは、前記サーバと通信する登録ユニットを有し、前記登録ユニットは、情報を入力及び出力する登録エンドポイントと、人の顔の特徴を取得する登録センサーユニットを有し、前記登録ユニットは前記登録センサーユニットが取得した使用者の顔の特徴及び前記エンドポイントが取得した前記使用者が入力した情報を前記サーバに送信し、前記サーバは前述の情報を前記データベースに送信し会員データとして保存及び認証することを特徴とする請求項９に記載のＡＩ自動ドア双方向ネットワークシステム。
【請求項１１】
前記双方向顔認識ユニットは、前記双方向ディスプレイの両側に水平に嵌合される一以上の双方向顔認識装置を備えることを特徴とする請求項２〜１０のうちいずれかに記載のＡＩ自動ドア双方向ネットワークシステム。
【請求項１２】
前記ＡＩ自動ドアは、前記サーバと接続される入力装置を備え、前記プロセッサがプログラムを実行し、前記データベースの適性データに基づき前記入力装置が取得した情報に対応する双方向のフィードバックをリアルタイムに前記双方向ディスプレイに提供することを特徴とする請求項２〜１０のうちいずれかに記載のＡＩ自動ドア双方向ネットワークシステム。
【請求項１３】
前記ＡＩ自動ドア双方向ネットワークシステムは、前記サーバと通信するスマートシェルフを備え、前記スマートシェルフは、センサーユニットと、陳列スペースと、出力ユニットを有し、前記陳列スペースにある商品が取られたことを前記センサーユニットが検知したとき、前記出力ユニットは前記商品の商品情報を出力することを特徴とする請求項２〜１０のうちいずれかに記載のＡＩ自動ドア双方向ネットワークシステム。
【考案の詳細な説明】
【技術分野】
【０００１】
本件出願に係る考案は、インターネット技術の応用であり、特に、双方向ディスプレイ及び双方向ＡＩ顔認識技術を備えるＡＩ自動ドア及びそれを含むＡＩ自動ドア双方向ネットワークシステムに関する。
【背景技術】
【０００２】
テクノロジーと人間性が結合したスマートテクノロジーサービスは、生活中の様々な分野でこれまでとは違った経験を人々にもたらしている。近年発展してきているスマートストアはスマートテクノロジーサービスの最たるものである。
【０００３】
スマートストアは全く新しい販路とサービスの形式である。アメリカのインターネットショッピングサイトを経営するアマゾンが始めたスマートストアＡｍａｚｏｎ  Ｇｏの仕組みは、特定のモバイルアプリケーションを利用し、センサーにより消費者の行動を追従、陳列位置に対応する陳列物を識別し、コンピューターシステムにより前記消費者が手に取った物と前記陳列物をペアリングする。ペアリングされた物は前記消費者の前記モバイルアプリケーション中の物品リストに追加又は削除され、前記消費者が特定区域に進入又は通過した時、前記消費者の物品リストを自動的に消費者に移し、前記消費者の口座から引き落としを行う。この技術は消費者からすると、ストアに入り、品物を取り、そのまま出るだけで会計が済み、レジに並ぶ必要がない。このような従来の消費行動とは大きく異なる形式の登場は世の中に大きな衝撃を与えた。
【考案の概要】
【考案が解決しようとする課題】
【０００４】
従来のスマートストアは多くのセンサーシステムにより利用者の消費行動を監視する必要がある。例えば、視覚センサーやディープラーニングアルゴリズムとセンサーの組み合わせであり、ハードウェア及びシステムの要求が非常に高い。そのため、単一店舗であってもその構築とメンテナンスに莫大なコストがかかり、一般的な市場に普及させるのは難しい。更に、目下の無人ストアは利用者の入退室の管理を容易にするため、入口と出口を分けて設置しなければならず、店舗を建てる場所の選択と施設のハードウェアのハードルが高い。
【０００５】
また、従来の人流分析は入店する利用者のみが対象であり、前を通過するだけで入店していない人は対象外である。又は前を通過する人に対しても人流分析を行うが、それは通行人の動向、時間と場所を分析するだけの交通量調査であり、通過する人の特徴について踏み込んだ分析を行うものではない。ストアの経営者にとって、潜在的な利用者の行動を把握する機会を失っているのは紛れもない事実であり、人流分析の効果を大きく損なうものである。
【課題を解決するための手段】
【０００６】
上述の課題を解決するため、本考案はＡＩ自動ドアを提供することを目的とする。本考案のＡＩ自動ドアは入口側及び出口側を有し、前記ドアを制御することで前記ドアを開放状態又は閉鎖状態に切り換える制御器と、前記ドア上に設置され、前記制御器と接続される双方向センサーと、前記ドア上に嵌合され、入口側及び／又は出口側に音声、音楽、画像、映像、文字、光と影及びそれらの組み合わせからなる群から選択されるものが出力される双方向ディスプレイと、前記双方向ディスプレイに嵌合され、前記入口側及び／又は前記出口側の人の顔の特徴を取得する双方向顔認識ユニットとを備え、前期双方向センサーが前記ドアの周辺に人及び／又は物が存在することを検知した時、前記制御器が前記ドアを制御することで開放し、一定時間後に閉鎖することを特徴とする。
【０００７】
本考案は更に、ＡＩ自動ドア双方向ネットワークシステムを提供することを目的とする。本考案のＡＩ自動ドア双方向ネットワークシステムは、顔の特徴の分析比較データ、個別の顔の特徴情報を有する複数の会員データ及び広告データを保存するデータベースと、前記データベースと通信するサーバと、前記ＡＩ自動ドアとを備え、前記サーバは、プログラムを実行するプロセッサと、前記プロセッサと接続されプログラムを保存するストレージを備える。前記ドアは入口側に位置する第一区域及び第一区域の外側にある第二区域を有する。前記双方向顔認識ユニットは前記双方向ディスプレイに嵌合され、前記サーバと接続される。前記双方向顔認識ユニットは入口側の前記第一区域、前記第二区域及び出口側の人の顔の特徴を取得し、前記顔の特徴を前記プロセッサに送信する。前記プログラムは前記プロセッサで実行されると、前記双方向顔認識ユニットからの顔の特徴と前記データベースとを比較し、前記第一区域の人が会員資格を有するか確認し、且つ前記第二区域の人流情報を分析する。
【０００８】
好ましい実施形態においては、前記双方向ディスプレイは前記ドア上に嵌合され、前記サーバと接続される。前記プロセッサが前記第一区域の人が会員特徴を満たすと確認した時、前記プロセッサは前記データベースから前記会員の好みに応じて適性広告を選択し前記双方向ディスプレイに放映する。又は、前記プロセッサは特定の時間に環境情報を比較し、前記データベースから前記環境情報に応じて適性広告を選択し前記双方向ディスプレイに放映する。
【０００９】
好ましい実施形態においては、前記ＡＩ自動ドア双方向ネットワークシステムは、前記サーバと接続される決済モジュールを備える。前記決済モジュールは、人の顔の特徴を取得する決済センサーユニットと、商品を識別し会計手続を実行する決済装置を備える。
【００１０】
好ましい実施形態においては、前記ＡＩ自動ドア双方向ネットワークシステムは、前記ドアの出口側の傍らに設置され、前記サーバと接続されるセンサーを備える。検知物が前記センサーの検知範囲を通過すると、前記プロセッサが前記会計手続の結果から前記検知物の適法性を判断し、前記検知物が適法性を有さないと判断したときは、前記双方向ディスプレイに前記商品のメッセージ及び／又は注意メッセージを出力する。前記注意メッセージは音声、音楽、画像、映像、文字、光と影及びそれらの組み合わせからなる群から選択されるものである
【００１１】
好ましい実施形態においては、前記センサーは前記ドアの出口側の上方及び／又は前記ドアの出口側の両側に設置される。
【００１２】
好ましい実施形態においては、前記決済モジュールは使用者の顔の特徴、バーコード、個人情報及びそれらの組み合わせからなる群から選択される情報を取得し、前記サーバと通信することにより前記使用者の会員身分を確認した後、前記決済モジュールは前記会計手続で会員セール情報を提供し、且つ対応する会計手続情報を通信により前記データベースに返送する。
【００１３】
好ましい実施形態においては、前記ＡＩ自動ドア双方向ネットワークシステムは、前記決済モジュールと接続される電子商取引プラットフォームを備える。前記決済モジュールは通信ネットワークを介し前記電子商取引プラットフォームの商品情報を識別し、会計手続を行う。
【００１４】
好ましい実施形態においては、前記ＡＩ自動ドア双方向ネットワークシステムは、使用者の属性情報を収集するモバイルアプリケーションを有する。前記モバイルアプリケーションは使用者のモバイル端末にインストールされ、前記サーバと通信する。前記使用者が前記ＡＩ自動ドア双方向ネットワークシステムに近づくと、前記モバイルアプリケーションは前記サーバに前記使用者の属性情報を提供し、前記サーバは前記使用者に対応する会計手続情報を前記モバイルアプリケーションに送信する。
【００１５】
好ましい実施形態においては、前記ＡＩ自動ドア双方向ネットワークシステムは、前記サーバと通信する登録ユニットを有する。前記登録ユニットは、情報を入力及び出力する登録エンドポイントと、人の顔の特徴を取得する登録センサーユニットを有する。前記登録ユニットは前記登録センサーユニットが取得した使用者の顔の特徴及び前記エンドポイントが取得した前記使用者が入力した情報を前記サーバに送信し、前記サーバは前述の情報を前記データベースに送信し会員データとして保存及び認証する。
【００１６】
好ましい実施形態においては、前記双方向顔認識ユニットは、前記双方向ディスプレイの両側に水平に嵌合される少なくとも一以上の双方向顔認識装置を備える。
【００１７】
好ましい実施形態においては、前記ＡＩ自動ドアは、前記サーバと接続される入力装置を備える。前記プロセッサがプログラムを実行し、前記データベースの適性データに基づき前記入力装置が取得した情報に対応する双方向のフィードバックをリアルタイムに前記双方向ディスプレイに提供する。
【００１８】
好ましい実施形態においては、前記ＡＩ自動ドア双方向ネットワークシステムは、前記サーバと通信するスマートシェルフを備える。前記スマートシェルフは、センサーユニットと、陳列スペースと、出力ユニットを有する。前記陳列スペースにある商品が取られたことを前記センサーユニットが検知したとき、前記出力ユニットは前記商品の商品情報を出力する。
【００１９】
本考案のＡＩ自動ドア双方向ネットワークシステムは以下の利点がある。
【００２０】
１．本考案のＡＩ自動ドア双方向ネットワークシステムは入口側の近い範囲と遠い範囲の人の顔の特徴を同時に取得することができる。これにより、入店しようとする人に対して会員認証と入退店管理を行うと同時に、入店せず通過する人に対し人流特徴分析を行うことができる。ストアの経営者は、分析結果に基づき出力する販売情報の内容と店舗に陳列する商品を調整し、効率的に通行人の注目を集め消費欲求を掻き立てることで、利用客の分析をより完全なものにすることが可能である。
【００２１】
２．本考案のＡＩ自動ドアは、超薄型両面ディスプレイのような双方向／両面ディスプレイを嵌合することで、自動ドアそのものがマルチメディアプレーヤーとなり、サーバの分析結果を即座に反映した内容を出力することができ、入店する人に対し双方向のフィードバックをリアルタイムに放映することや、会員や通行人の好みに応じた適性広告を流すことができる。このような設置は、販売情報に対する利用客の興味を引く時間を伸ばす効果があり、従来の受動的な映像広告の注目度が低い問題を改善することが可能である。更に、本考案のＡＩ自動ドアは、双方向ディスプレイ及び顔認識ユニットを嵌合し設置することで、外観も時代の流行に合った美観やハイテク感を備えることが可能である。
【００２２】
３．本考案のＡＩ自動ドア双方向ネットワークシステムは実物の陳列棚及び電子商取引プラットフォームを備え、更に陳列商品及び電子商取引商品の会計を行う決済モジュールを備えることで、実店舗販売と電子商取引の利点を組み合わせ、入店する人と通行人に対し両方のショッピング体験を提供することができる。
【００２３】
４．本考案のＡＩ自動ドア双方向ネットワークシステムは前記ＡＩ自動ドアの出口側、例えば建物室内の天井表面や前記ドアの出口側両側及び／又は地面にセンサーを設置することで、センサーが会計前の商品を検知した時、前記双方向ディスプレイから会計前の商品情報に関する音声又は画像メッセージを出力することで、注意喚起を行うことが可能となる。
【図面の簡単な説明】
【００２４】
【図１】本考案のＡＩ自動ドア入口側の好ましい実施形態を示す説明図である。
【図２】本考案のＡＩ自動ドア入口側の好ましい実施形態を示す説明図である。
【図３】本考案のＡＩ自動ドア出口側の好ましい実施形態を示す説明図である。
【図４】本考案のＡＩ自動ドア双方向ネットワークシステムの好ましい実施形態を示す説明図    である。
【図５】本考案のＡＩ自動ドア双方向ネットワークシステムの好ましい実施形態を示す説明図    である。
【考案を実施するための形態】
【００２５】
以下、本考案の技術内容を図面に基づいて説明する。なお、これら図面は説明のためのものであるため、実際の比率に従い描かれたものではなく、本考案の技術的範囲を限定するものではない。
【００２６】
本明細書中で使用される「含む」、「含んでいる」、「備える」、「備えている」、「有する」、「有している」、「含有する」、「含有している」またはそれらの変化形は、非排他的包含であることを意図するものである。例えば、挙げられた要素を備えるユニット、構造、物品、または装置は、必ずしもこれらの要素のみに限定されるものでなく、明示的に挙げられていないか、又はこのようなユニット、構造、物品、または装置に本来備わっている他の要素も含んでよい。
【００２７】
以下、本考案の実施形態を詳細に説明するが、これらは本考案の理解を助けるための具体的な例を提示したものであって、本考案の範囲を限定するものではない。
【００２８】
以下で本考案のＡＩ自動ドア１０について説明する。図１〜図３は、本考案のＡＩ自動ドア１０の好ましい実施形態を示す説明図である。
【００２９】
本考案のＡＩ自動ドア１０は、制御器１１と、双方向センサー１２と、双方向ディスプレイ１３と、双方向顔認識ユニット１４とを備える。
【００３０】
本明細書中で使用される「双方向／両面」は、前記ドアが有する入口側及び出口側を指す。また、特定の状況においては、本考案と使用者との間のフィードバックを指す。
【００３１】
本考案のＡＩ自動ドア１０はいかなる形式の自動ドアでも実施することができる。例えばこれに限定しないが、片引き自動ドア（図１に示す。）、引分け自動ドア（図２及び３に示す。）、二重／多重片引き自動ドア、二重／多重引分け自動ドア、円形／半円形片引き／引分け自動ドア、折り戸型自動ドア、開き戸型自動ドア等である。
【００３２】
制御器１１は前記ドアを開放状態又は閉鎖状態に切り換えるのに用いる部品の集合である。前記部品の集合はハードウェア若しくはソフトウェアを含み、又は補助ユニットを組み合わせてもよい。例えばこれに限定しないが、制御器１１はマイクロプロセッサ、モーター、給電装置、ドライバユニット等やその他の関係部品を含んでもよい。本考案は、開閉の速度、閉門までの時間、挟まり防止センサー等については使用者がその要求に応じて調整することができるものとし、本考案では限定しない。好ましい実施形態においては、制御器１１は前記サーバと接続せず、独立して前記ドアを開閉することができる。別の好ましい実施形態においては、制御器１１は前記サーバと接続され、前記サーバで前記ドアの開閉を制御することができ、使用者による遠隔管理を可能としている。又は、第一区域Ｔ１にいる人が会員特徴を有するか前記サーバが識別した結果や、検知物が適法性を有するかセンサーが判定した結果（後述）等に基づき、前記ドアの開閉作業の管理を行うことが可能である。
【００３３】
双方向センサー１２は前記ドア上に設置され、制御器１１と接続される。前記センサーが前記ドアの周辺（入口側及び出口側を含む）に人及び／又は物が存在することを検知した時、制御器１１が前記ドアを制御することで前記ドアを開放し、一定時間後に閉鎖する。双方向センサー１２は例えばこれに限定しないが、赤外線センサー、レーダーセンサー、マイクロ波センサー、光電センサー、圧力センサー又はその他類する機能を持つセンサーである。双方向センサー１２の設置位置、反応角度、反応範囲等は使用者がその要求に応じて調整することが可能であり、本考案では限定しない。
【００３４】
双方向ディスプレイ１３は前記ドア上に設置される。より好ましくは、双方向ディスプレイ１３は前記ドアに嵌合される。より具体的には、前記ドア上に窓型のような空間を収納台座として準備し、ネジ止め、接着、はんだ付け又は嵌め込み等の方法で双方向ディスプレイ１３を前記ドア上の前記収納台座に嵌合することで、外観上一体のように見せることができる。前記ドア上に設置される双方向ディスプレイ１３は一つ又は複数でもよい。また、双方向ディスプレイ１３はＡＩ自動ドア１０のドア上に設置してもよい。もしＡＩ自動ドア１０のドアが複数の場合は、双方向ディスプレイ１３を一つ又は複数のドア上に設置してもよく、本考案では限定しない。双方向ディスプレイ１３はあらゆるディスプレイ技術に基づき、前記ドアの入口側及び／又は出口側に音声、音楽、画像、映像、文字、光と影及びそれらの組み合わせからなる群から選択されるものを出力する。双方向ディスプレイ１３は前記ドアの入口側及び出口側で同じもの又は異なるものを出力することができる。双方向ディスプレイ１３は少なくとも一以上の出力部品の集合で、ハードウェア又はソフトウェアを含み、又は補助ユニットを組み合わせてもよい。双方向ディスプレイは例えばこれに限定しないが、液晶ディスプレイ（ＬＣＤ）、発光ダイオードディスプレイ（ＬＥＤ）、有機発光ダイオードディスプレイ（ＯＬＥＤ）、プラズマディスプレイ、ブラウン管ディスプレイ（ＣＲＴ）、タッチパネル、カラー及び薄膜トランジスタ（ＴＦＴ）を含む液晶ディスプレイである。好ましい実施形態においては、双方向ディスプレイ１３は超薄型双方向液晶ディスプレイ（ＬＣＤ）、超薄型双方向発光ダイオードディスプレイ（ＬＥＤ）又は超薄型双方向有機発光ダイオードディスプレイ（ＯＬＥＤ）である。
【００３５】
双方向顔認識ユニット１４は前記ドア上に設置される。好ましくは、双方向顔認識ユニット１４は双方向ディスプレイ１３に嵌合される。双方向顔識別ユニット１４は前記入口側及び／又は出口側の人の顔の特徴を取得する。双方向顔認識ユニット１４はキャプチャ装置を含む。好ましい実施形態においては、双方向顔認識ユニット１４は双方向ディスプレイ１３の傍らに嵌合される一つ以上の双方向顔認識装置を有する。より好ましい実施形態においては、双方向顔認識ユニット１４は双方向ディスプレイ１３の両側（例えば双方向ディスプレイ１３の左右）に水平に嵌合され、且つ地面から１５０〜１７５センチメートルの高さに設置される少なくとも二つの双方向顔認識装置を有する。このように設置する利点は、複数の人が密集して存在するときに、水平に設置された第一双方向顔認識装置１４１及び第二双方向顔認識装置１４２のセンサー角度の違いにより、単一センサーによる検知の盲点を無くし、密集する複数人の個別の顔の特徴を検知し取得できることにある。また、水平に設置される一つ又は複数の双方向顔認識装置は人の移動方向や移動速度等の動向を検知するのにも利用することができる。
【００３６】
本考案のＡＩ自動ドア１０は更に入力装置１５を備える。入力装置１５は例えばこれに限定しないが、マイク、カメラ、タッチディスプレイ、キーボード、ボタン等である。好ましい実施形態においては、入力装置１５は双方向ディスプレイ１３の中に含んでもよい。例えば、タブレットパソコンを利用することで、タブレットパソコンのタッチディスプレイを本考案の双方向ディスプレイ１３及び入力装置１５とすることが可能である。
【００３７】
以下で本考案のＡＩ自動ドア双方向ネットワークシステム１００について説明する。図４及び５は本考案のＡＩ自動ドア双方向ネットワークシステム１００の実施例を示す説明図である。
【００３８】
本考案のＡＩ自動ドア双方向ネットワークシステム１００は、データベース２０と、サーバ３０と、前述のＡＩ自動ドア１０を備える。更に要求に応じて、決済モジュール５０と、センサー４０と、電子商取引プラットフォーム６０と、モバイルアプリケーション７０と、登録ユニット８０と、スマートシェルフ９０を備えることができる。また本考案は、リモートサーバを備えることもできる。前記リモートサーバは、インターネットを介して同時に一以上のエンドポイントにあるＡＩ自動ドア双方向ネットワークシステム１００を接続することができるサーバ３０である。これにより、前記リモートサーバが一以上のエンドポイントにあるＡＩ自動ドア双方向ネットワークシステム１００に対し同期処理や管理を行うことが可能となる。
【００３９】
本考案における「データベース２０」とは、関係するデータの集合を一か所に保存するためのものであり、システムの提供するコマンド又はプログラムによりデータベース２０中のデータを管理することが可能である。好ましい実施形態においては、データベース２０は顔の特徴の分析比較データ、個別の顔の特徴情報を有する複数の会員データ及び広告データを保存する。前記会員データは例えばこれに限定しないが、前記会員に対応する生物学的特徴情報、会員番号、会員パスワード、会員連絡先情報、会員属性情報（例えば、性別、年齢、好み、住所、よく行く場所等）、会員取引履歴、会員アカウントデータ等である。前記顔の特徴分析比較データは、生物学的特徴の判定基準又は分類基準等を含んでおり、前記生物学的特徴の識別データを持つ人の属性特徴を判定又は分類するのに利用する。
【００４０】
サーバ３０は、 データベース２０と通信する。サーバ３０は、プロセッサ３１とストレージ３２を備える。プロセッサ３１はプログラムを実行するのに用いられる。ストレージ３２はプロセッサ３１と接続され、プログラムを保存する。プロセッサ３１はＣＰＵ、マイクロプロセッサ若しくはその他類する装置又はそれらの組み合わせである。
【００４１】
ＡＩ自動ドア１０は入口側に第一区域Ｔ１及び第一区域Ｔ１の外側に位置する第二区域Ｔ２を有する。つまり、第一区域Ｔ１は前記ドアの入口側の近辺にあり、第二区域Ｔ２は前記ドアから遠い側にある。第一区域Ｔ１及び第二区域Ｔ２の範囲は、使用者が任意に定義することが可能である。好ましい実施形態においては、第一区域Ｔ１は前記ドアの入口側から外側０．５〜２メートル半径の範囲であり、第二区域Ｔ２は前記ドアの入口側から外側２〜１０メートル半径の範囲である。ただし、使用者は任意に、且つその経験に応じて第一区域Ｔ１及び第二区域Ｔ２の範囲を設定できるため、本考案では第一区域Ｔ１及び第二区域Ｔ２の範囲について限定しない。
【００４２】
好ましい実施形態においては、ＡＩ自動ドア１０の双方向顔認識ユニット１４は双方向ディスプレイ１３に嵌合されサーバ３０と接続される。双方向顔認識ユニット１４は入口側の第一区域Ｔ１、第二区域Ｔ２及び出口側の人の顔の特徴を取得し、これらの顔の特徴をプロセッサ３１に送信する。前記プログラムがプロセッサ３１で実行されると、プロセッサ３１は双方向顔認識ユニット１４の顔の特徴とデータベース２０と比較を行い、第一区域Ｔ１の人が会員特徴を有しているか確認する。より好ましい実施形態においては、ＡＩ自動ドア１０の双方向ディスプレイ１３は前記ドア上に嵌合されサーバ３０と接続される。プロセッサ３１が第一区域Ｔ１の人の会員特徴を確認した時、プロセッサ３１はデータベース２０から前記会員の好みに応じた適性広告を選択し、双方向ディスプレイ１３で放映する。また、プロセッサ３１は特定の時間内に環境情報を比較し、プロセッサ３１がデータベース２０から前記環境情報に応じた適性広告を選択し、双方向ディスプレイ１３で放映することができる。ここでいう環境情報とは、例えばこれに限定しないが、温度、湿度、降水確率、風速、風向、天気等である。ＡＩ自動ドア１０に入力装置１５を設置している実施形態のときは、入力装置１５はサーバ３０と接続される。プロセッサ３１がプログラムを実行し、データベース２０の適性データに応じて入力装置１５が受け取った情報のフィードバックをリアルタイムに双方向ディスプレイ１３に提供する。これにより、より人間性に則したスマート技術の応用が可能となる。
【００４３】
好ましい実施形態においては、前記プログラムがプロセッサ３１で実行されると、プロセッサ３１は双方向顔認識ユニット１４から受け取った顔の特徴とデータベース２０とを比較し、第二区域Ｔ２にいる人に対し識別及び分類を行い、人流情報を分析する。より好ましい実施形態においては、プロセッサ３１はデータベース２０と通信することで、第二区域Ｔ２の生物学的特徴情報を識別及び分類し、その他の情報（例えば、環境情報、時間情報、地理情報）を組み合わせることで第二区域Ｔ２の人流情報をより詳しく分析することができる。前記人流情報は例えば、人数、性別、年齢、歩行速度、動向、入店比率、時間帯、季節、天気、地理情報からなる群から選択される一以上の情報の組み合わせを分析した結果だが、本考案ではこの分析についてはこれらに限定しない。より好ましい実施形態においては、ＡＩ自動ドア１０の双方向ディスプレイ１３は前記ドア上に嵌合され、サーバ３０と接続される。プロセッサ３１が第二区域Ｔ２の人流データを取得した時、プロセッサ３１はデータベース２０から前記人流データの属性に応じて適性広告を選択し、双方向ディスプレイ１３で放映する。具体的な運用は例えばこれに限定しないが、商業オフィス街に位置する店舗のラッシュアワーは通勤時間帯、正午及び帰宅時間帯であり、ラッシュアワーの交通量は一日のうちの６５％を占め、男女比率は男性５７：女性４３であり、年齢は３０〜５０歳がラッシュアワーの交通量の６５％を占めるため、経営者は前記ラッシュアワーの人流分析に基づき、その属性に適合する販売情報を放映することで、販売情報に注目を集め、広告を見る時間を伸ばす効果を見込むことができる。
【００４４】
決済モジュール５０はサーバ３０と通信する。決済モジュール５０は、人の顔の特徴を取得する決済センサーユニット５１と、商品を識別し会計手続を実行する決済装置５２等を備える。好ましい実施形態においては、決済モジュール５０は使用者の顔の特徴、番号、コード（例えば、バーコード、二次元コード、ＱＲコード（登録商標） ）、個人データからなる群から選択される一以上の情報を取得し、サーバ３０との通信により前記使用者の会員身分を確認した後、決済モジュール５０は前記会計手続で会員セール情報（例えば、商品割引コード、限定商品、セット商品等）を提供し、且つ対応する会計手続情報を通信によりデータベース２０に返送する。好ましい実施形態においては、決済装置５２はＰＯＳ（Ｐｏｉｎｔ  ｏｆ  Ｓａｌｅｓ：販売時点情報管理）システム又はそれに類する販売時点情報管理システムを実現することのできる装置である。好ましい実施形態においては、決済装置５２は例えばこれに限定しないが、決済番号、バーコード、二次元コード、ＱＲコード、証書又はＲＦＩＤタグ等の方法を利用し商品及び関係情報を識別する。このように設置する利点は、会員セール情報を提供することで利用者が会員登録をしたくなる動機になり、もって本考案の会員データベースをより完全なものとすることが可能となる。
【００４５】
本考案における「会計手続」とは、一連の不可分なデータベース操作コマンドの集合をいう。前述の会計手続は、一以上の商品の識別、前記一以上の商品の合計金額の計算、前記合計金額の現金又はプリペイド支払い、会計完了を含む。会計手続中のそれぞれのコマンドが全て成功した時、その取引は成功する。コマンドのいずれかが失敗すれば、その取引も失敗となり、会計前のデータの状態に戻る。
【００４６】
センサー４０は前記ドアの出口側の傍らに設置され、サーバ３０と接続される。検知物がセンサー４０の検知範囲を通過した時、プロセッサ３１は決済モジュール５０の前記会計手続の結果から前記検知物の適法性を判断する。具体的には、プロセッサ３１が前記検知物の会計手続が完了している信号を受け取った時、前記検知物は適法性を有すると判断する。プロセッサ３１が前記検知物の会計手続が完了している信号を受け取れず、又は前記検知物の会計手続の失敗（又は未完了）信号を受け取った時、前記検知物は適法性を有さないと判断する。好ましい実施形態においては、プロセッサ３１は前記検知物が適法性を有さないと判断した時、双方向ディスプレイ１３に前記商品のメッセージを出力する。別の好ましい実施形態においては、プロセッサ３１は前記検知物が適法性を有さないと判断した時、双方向ディスプレイ１３に注意メッセージを出力する。前記注意メッセージは音声、音楽、画像、映像、文字、光と影及びそれらの組み合わせからなる群から選択されるものである。本考案が商品のメッセージ及び／又は注意メッセージを出力する利点は、利用客に対し未会計又は会計処理に失敗した商品を伝えることができる他、利用客のプライバシーを考慮した際、商品情報を表示せず注意メッセージを利用することでも、利用客に未会計の商品を伝えることができる。センサー４０は例えばこれに限定しないが、赤外線センサー、マイクロ波センサー、ＲＦＩＤセンサー又はこれに類する無線センサーである。好ましい実施形態においては、センサー４０は外部から目立たないように設置される。例えばこれに限定しないが、センサー４０を前記ドアの出口側の建物室内の天井表面、前記ドアの出口側の両側及び／又は地面等に設置する。より好ましい実施形態においては、センサー４０はＲＦＩＤセンサーであり、商品にはＲＦＩＤタグを設置する。センサー４０は前記ドアの出口側の建物室内の天井表面（上方）、前記ドアの出口側の両側（左右）及び／又は地面（下方）に設置する。このように設置する利点は、垂直方向又は周辺に設置されるセンサー４０と水平方向に設置される双方向顔認識ユニット１４（例えば、第一双方向顔認識装置１４１及び第二双方向顔認識装置１４２）により、前記ドアの出口側で死角のない検知管理が可能となる。
【００４７】
電子商取引プラットフォーム６０はインターネットを介してサービス又は商品を提供する仮想プラットフォームである。電子商取引プラットフォーム６０は、一以上の利用者、エンドポイント及びＡＩ自動ドア双方向ネットワークシステム１００と接続し取引することが可能である。本考案の電子商取引プラットフォーム６０は、Ｂ２Ｂ（Ｂｕｓｉｎｅｓｓ  ｔｏ  Ｂｕｓｉｎｅｓｓ）、Ｂ２Ｃ（Ｂｕｓｉｎｅｓｓ  ｔｏ  Ｃｏｎｓｕｍｅｒ）、Ｃ２Ｃ（Ｃｏｎｓｕｍｅｒ  ｔｏ  Ｃｏｎｓｕｍｅｒ）、Ｏ２Ｏ（Ｏｎｌｉｎｅ  ｔｏ  Ｏｆｆｌｉｎｅ）等の形式に限定しない。好ましい実施形態においては、電子商取引プラットフォーム６０は決済モジュール５０と接続される。決済モジュール５０はインターネット通信により電子商取引プラットフォーム６０の商品情報を識別し、会計手続を実行する。好ましい実施形態においては、電子商取引プラットフォーム６０は、決済モジュール５０が識別することのできる一以上の決済コード、バーコード、二次元コード、ＱＲコード又は証書を有する。これにより、決済モジュール５０は実店舗販売と電子商取引プラットフォーム６０の決済コード、バーコード、二次元コード、ＱＲコード又は証書を統合し、会計手続を実行することが可能となる。別の好ましい実施形態においては、本考案のＡＩ自動ドア双方向ネットワークシステム１００はエンドポイントを有する。前記エンドポイントは、インターネット通信により電子商取引プラットフォーム６０と接続し、電子商取引プラットフォーム６０の情報を入力及び／又は出力するのに用いる。前記エンドポイントは例えば、タブレットパソコン若しくは入力機能のあるディスプレイ、投影設備若しくはその他類する電子機器又はＰＯＳ等であり、本考案では限定しない。本考案のエンドポイントが出力するメディアは、音声若しくは映像のいずれか又は両者であり、本考案では限定しない。別の好ましい実施形態においては、双方向ディスプレイ１３はインターネット通信により電子商取引プラットフォーム６０と接続し、電子商取引プラットフォーム６０の情報を入力及び／又は出力する。
【００４８】
モバイルアプリケーション７０は使用者のモバイル端末にインストールされ、ＯＳ（例えば、ｉＯＳ又はＡｎｄｒｏｉｄ）上で実行され、サーバ３０と通信することが可能である。具体的には、モバイルアプリケーション７０はモバイル端末上にある、あらゆるプログラミング言語（例えば、Ｃ＋＋又はＪａｖａ（登録商標） ）で書かれたプログラム及びプログラムを実行するために割り当てられたハードウェア（例えば、メモリやプロセッサ）の組み合わせである。前記使用者がＡＩ自動ドア双方向ネットワークシステム１００に近づいた時、モバイルアプリケーション７０がサーバ３０に前記使用者の属性情報を提供し、サーバ３０は前記使用者のモバイルアプリケーション７０に対応する会計手続情報を送信する。
【００４９】
登録ユニット８０は、情報を入力及び出力する登録エンドポイント８１及び人の顔の特徴を取得する登録センサーユニット８２を有する。登録ユニット８０は登録センサーユニット８２が取得した使用者の顔の特徴及び前記エンドポイントが取得した前記使用者が入力した情報をサーバ３０に送信し、サーバ３０は前述の情報をデータベース２０に送信し会員データとして保存及び認証する。
【００５０】
スマートシェルフ９０は、センサーユニット９１と、陳列スペース９２と、出力ユニット９３を有する。センサーユニット９１は陳列スペース９２にある商品が取られたことを検知したとき、出力ユニット９３から前記商品の商品情報を出力する。具体的には、センサーユニット９１は例えばこれに限定しないが、赤外線センサー、ＲＦＩＤセンサー、重量センサー、圧力センサー、静電容量センサー、映像認識等の技術を利用し商品が取られたことを検知する。好ましい実施形態においては、スマートシェルフ９０はアイランド型のシェルフで、その形は販売する商品の種類に応じて設計変更や調整をすることが可能である。
【００５１】
好ましい実施形態においては、出力ユニット９３又は双方向ディスプレイ１３はインターネットを介してリアルタイムストリーミングメディア（例えば、ライブ放送）を提供することが可能である。使用者は出力ユニット９３又は双方向ディスプレイ１３を介してリアルタイムストリーミングメディアとやりとりを行うことができる。
【００５２】
上述のとおり、本考案のＡＩ自動ドア双方向ネットワークシステムは次のような利点がある。本考案のＡＩ自動ドア双方向ネットワークシステムは入口側の近い範囲と遠い範囲の人の顔の特徴を同時に取得することができる。これにより、入店しようとする人に対して会員認証と入退店管理を行うと同時に、入店せず通過する人に対し人流特徴分析を行うことができる。ストアの経営者は、分析結果に基づき出力する販売情報の内容と店舗に陳列する商品を調整し、効率的に通行人の注目を集め消費欲求を掻き立てることで、利用客の分析をより完全なものにすることが可能である。本考案のＡＩ自動ドアは、超薄型両面ディスプレイのような双方向／両面ディスプレイを嵌合することで、自動ドアそのものがマルチメディアプレーヤーとなり、サーバの分析結果を即座に反映した内容を出力することができ、入店する人に対し双方向のフィードバックをリアルタイムに放映することや、会員や通行人の好みに応じた適性広告を流すことができる。このような設置は、販売情報に対する利用客の興味を引く時間を伸ばす効果があり、従来の受動的な映像広告の注目度が低い問題を改善することが可能である。更に、本考案のＡＩ自動ドアは、双方向ディスプレイ及び顔認識ユニットを嵌合し設置することで、外観も時代の流行に合った美観やハイテク感を備えることが可能である。本考案のＡＩ自動ドア双方向ネットワークシステムは実物の陳列棚及び電子商取引プラットフォームを備え、更に陳列商品及び電子商取引商品の会計を行う決済モジュールを備えることで、実店舗販売と電子商取引の利点を組み合わせ、入店する人と通行人に対し両方のショッピング体験を提供することができる。本考案のＡＩ自動ドア双方向ネットワークシステムは前記ＡＩ自動ドアの出口側、例えば建物室内の天井表面や前記ドアの出口側両側及び／又は地面にセンサーを設置することで、センサーが会計前の商品を検知した時、前記双方向ディスプレイから会計前の商品情報に関する音声又は画像メッセージを出力することで、注意喚起を行うことが可能となる。
【００５３】
上述において、本考案の説明の利便性のために最良の実施例を挙げて説明したが、これらの実施例は本考案の請求の範囲を限定するものではなく、本考案に基づく本考案の要旨を逸脱しないあらゆる変更は本考案の請求の範囲に含まれる。
【符号の説明】
【００５４】
１００ ＡＩ自動ドア双方向ネットワークシステム
１０ ＡＩ自動ドア
１１ 制御器
１２ 双方向センサー
１３ 双方向ディスプレイ
１４ 双方向顔認識ユニット
１４１ 第一双方向顔認識装置
１４２ 第二双方向顔認識装置
１５ 入力装置
２０ データベース
３０ サーバ
３１ プロセッサ
３２ ストレージ
４０ センサー
５０ 決済モジュール
５１ 決済センサーユニット
５２ 決済装置
６０ 電子商取引プラットフォーム
７０ モバイルアプリケーション
８０ 登録ユニット
８１ 登録エンドポイント
８２ 登録センサーユニット
９０ スマートシェルフ
９１ センサーユニット
９２ 陳列スペース
９３ 出力ユニット
Ｔ１ 第一区域
Ｔ２ 第二区域
【図１】
0003218348.tif 000003
【図２】
0003218348.tif 000004
【図３】
0003218348.tif 000005
【図４】
0003218348.tif 000006
【図５】
0003218348.tif 000007